【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
撮像手段で撮像した画像データを所定の記憶媒体に記録する撮像装置であって、
所定のフレームレートに従って前記撮像手段で順次撮像して得られた各画像データを動画像のフレームデータとし、各フレームデータと各フレームデータの格納アドレスを示すオフセット値とを前記記憶媒体に書き込むことで、前記記憶媒体内に動画像ファイルを生成する動画像撮影記録手段と、
該動画像撮影記録手段による動画像撮影記録中に、静止画撮影記録の指示があったか否かを判断する判断手段と、
該判断手段で静止画撮影記録の指示があったと判断した場合、前記動画像撮影記録手段による動画像撮影記録を中断し、前記撮像手段で得られた画像データを静止画像データとする静止画ファイルを前記記憶媒体に格納する静止画撮影記録手段と、
該静止画撮影記録手段で得られた前記静止画像データから擬似動画フレームデータを生成して前記動画像ファイルの一部として格納すると共に、前記静止画撮影記録手段による静止画撮影時から前記記憶媒体への前記静止画ファイルの格納する期間で撮影されなかった各欠落フレームが前記擬似動画フレームを指し示すようにするため、前記各欠落フレームのオフセット値を調整する調整手段と、
該調整手段による調整した後、前記動画像撮影記録手段による動画像撮影記録を再開する再開手段と
を備えることを特徴とする撮像装置。
【請求項２】
前記動画像撮影記録手段で記録する各フレームデータは、前記撮像手段から所定ライン間隔で抽出された画像を更に間引きして生成することを特徴とする請求項１に記載の撮像装置。
【請求項３】
前記調整手段は、予め設定されたオフセットの位置に前記擬似動画フレームを格納し、各欠落フレームのオフセット値が前記予め設定されたオフセットの位置を示すように調整することを特徴とする請求項１に記載の撮像装置。
【請求項４】
更に、音声入力手段を備え、
前記動画像撮影記録手段は、予め設定された単位時間の前記音声データと前記単位時間に撮像されるべき個数のフレームデータとを１セットし、当該セット内の各データを、それぞれのデータの格納位置を示すオフセット値ともに前記記憶媒体に格納し、
前記調整手段は、
前記動画像撮影記録手段による動画像撮影記録を中断してから、前記静止画撮影記録手段により動画像フレームとしての前記擬似動画フレームが生成されるまでを第１の期間としたとき、当該第１の期間に含まれる各セットの最初の動画フレームの撮影タイミングにおいては、予め設定されたブラックアウトフレームを格納し、前記第１の期間内での他の動画フレームの撮影タイミングでは前記ブラックアウトフレームの格納アドレスを示すオフセット値を格納し、
前記擬似動画フレームが生成されてから、前記静止画撮影記録手段による静止画ファイルが格納するまでの期間を第２の期間としたとき、当該第２の期間に含まれる各セットの最初の動画フレームの撮影タイミングにおいては前記擬似動画フレームを格納し、前記第２の期間内での他の動画フレームの撮影タイミングでは前記擬似動画フレームの格納アドレスを示すオフセット値を格納する
ことを特徴とする請求項１乃至３の何れか１項に記載の撮像装置。
【請求項５】
撮像手段で撮像した画像データを所定の記憶媒体に記録する撮像装置の制御方法であって、
所定のフレームレートに従って前記撮像手段で順次撮像して得られた各画像データを動画像のフレームデータとし、各フレームデータと各フレームデータの格納アドレスを示すオフセット値とを前記記憶媒体に書き込むことで、前記記憶媒体内に動画像ファイルを生成する動画像撮影記録工程と、
該動画像撮影記録工程による動画像撮影記録中に、静止画撮影記録の指示があったか否かを判断する判断工程と、
該判断工程で静止画撮影記録の指示があったと判断した場合、前記動画像撮影記録工程による動画像撮影記録を中断し、前記撮像手段で得られた画像データを静止画像データとする静止画ファイルを前記記憶媒体に格納する静止画撮影記録工程と、
該静止画撮影記録工程で得られた前記静止画像データから擬似動画フレームデータを生成して前記動画像ファイルの一部として格納すると共に、前記静止画撮影記録工程による静止画撮影時から前記記憶媒体への前記静止画ファイルの格納する期間で撮影されなかった各欠落フレームが前記擬似動画フレームを指し示すようにするため、前記各欠落フレームのオフセット値を調整する調整工程と、
該調整工程による調整した後、前記動画像撮影記録工程による動画像撮影記録を再開する再開工程と
を備えることを特徴とする撮像装置の制御方法。
【請求項６】
撮像手段で撮像した画像データを所定の記憶媒体に記録する撮像装置であって、
所定のフレームレートに従って前記撮像手段で順次撮像して得られた各画像データを動画像のフレームデータとし、各フレームデータと各フレームデータの格納アドレスを示すオフセット値とを前記記憶媒体に書き込むことで、前記記憶媒体内に動画像ファイルを生成する動画像撮影記録手段と、
該動画像撮影記録手段による動画像撮影記録中に、静止画撮影記録の指示があったか否かを判断する判断手段と、
該判断手段で静止画撮影記録の指示があったと判断した場合、前記動画像撮影記録手段による動画像撮影記録を中断し、前記撮像手段で得られた画像データを静止画像データとする静止画ファイルを前記記憶媒体に格納する静止画撮影記録手段と、
前記静止画撮影記録手段による静止画撮影時から前記記憶媒体への前記静止画ファイルの格納する期間で撮影されなかった各欠落フレームが、前記静止画撮影記録の指示が入力される直前に撮像したフレームデータを指し示すようにするため、前記各欠落フレームのオフセットを調整する調整手段と、
該調整手段による調整した後、前記動画像撮影記録手段による動画像撮影記録を再開する再開手段と
を備えることを特徴とする撮像装置。
【請求項７】
前記動画像撮影記録手段で記録する各フレームデータは、前記撮像手段から所定ライン間隔で抽出された画像を更に間引きして生成することを特徴とする請求項６に記載の撮像装置。
【請求項８】
撮像手段で撮像した画像データを所定の記憶媒体に記録する撮像装置の制御方法であって、
所定のフレームレートに従って前記撮像手段で順次撮像して得られた各画像データを動画像のフレームデータとし、各フレームデータと各フレームデータの格納アドレスを示すオフセット値とを前記記憶媒体に書き込むことで、前記記憶媒体内に動画像ファイルを生成する動画像撮影記録工程と、
該動画像撮影記録工程による動画像撮影記録中に、静止画撮影記録の指示があったか否かを判断する判断工程と、
該判断工程で静止画撮影記録の指示があったと判断した場合、前記動画像撮影記録工程による動画像撮影記録を中断し、前記撮像手段で得られた画像データを静止画像データとする静止画ファイルを前記記憶媒体に格納する静止画撮影記録工程と、
前記静止画撮影記録工程による静止画撮影時から前記記憶媒体への前記静止画ファイルの格納する期間で撮影されなかった各欠落フレームが、前記静止画撮影記録の指示が入力される直前に撮像されたフレームデータを指し示すようにするため、前記各欠落フレームのオフセットを調整する調整工程と、
該調整工程による調整した後、前記動画像撮影記録工程による動画像撮影記録を再開する再開工程と
を備えることを特徴とする撮像装置の制御方法。
【請求項９】
音声入力手段から入力した音声データと、撮像手段で撮像した画像データを所定の記憶媒体に記録する撮像装置であって、
予め設定された単位時間の前記音声データと前記単位時間に撮像されるべき個数のフレームデータとを１セットし、音声データ及び各フレームデータを、それぞれのデータの格納アドレスを示すオフセット値と共に前記記憶媒体に書き込むことで、前記記憶媒体内に音声付き動画像ファイルを生成する音声付き動画像撮影記録手段と、
該音声付き動画像撮影記録手段による音声付き動画像撮影記録中に、静止画撮影記録の指示があったか否かを判断する判断手段と、
該判断手段で静止画撮影記録の指示があったと判断した場合、前記音声付き動画像撮影記録手段による動画像撮影記録を中断し、前記撮像手段で得られた画像データを静止画像データとする静止画ファイルを前記記憶媒体に格納する静止画撮影記録手段と、
前記静止画撮影記録手段による静止画撮影を開始してから前記記憶媒体への前記静止画ファイルの格納するまでの期間では、音声入力を継続し、各セットにおける音声データとして前記記憶媒体に格納する音声データ格納手段と、
前記期間における各セット中の最初の動画像のフレームについては、前記静止画撮影記録の指示が入力される直前に撮像して得られたフレームデータを格納し、前記各セット中の前記最初の動画像のフレームを除くフレームについては、該当するセットに格納した動画像のフレームのオフセットを格納することで、動画像撮影中断による欠落フレームのオフセットを調整する調整手段と、
前記音声データ格納手段による音声データの格納処理、及び、前記調整手段による調整処理の後、前記音声付き動画像撮影記録手段による音声付き動画像撮影記録を再開する再開手段と
を備えることを特徴とする撮像装置。
【請求項１０】
音声入力手段から入力した音声データと、撮像手段で撮像した画像データを所定の記憶媒体に記録する撮像装置の制御方法であって、
予め設定された単位時間の前記音声データと前記単位時間に撮像されるべき個数のフレームデータとを１セットし、音声データ及び各フレームデータを、それぞれのデータの格納アドレスを示すオフセット値と共に前記記憶媒体に書き込むことで、前記記憶媒体内に音声付き動画像ファイルを生成する音声付き動画像撮影記録工程と、
該音声付き動画像撮影記録工程による音声付き動画像撮影記録中に、静止画撮影記録の指示があったか否かを判断する判断工程と、
該判断工程で静止画撮影記録の指示があったと判断した場合、前記音声付き動画像撮影記録工程による動画像撮影記録を中断し、前記撮像手段で得られた画像データを静止画像データとする静止画ファイルを前記記憶媒体に格納する静止画撮影記録工程と、
前記静止画撮影記録工程による静止画撮影を開始してから前記記憶媒体への前記静止画ファイルの格納するまでの期間では、音声入力を継続し、各セットにおける音声データとして前記記憶媒体に格納する音声データ格納工程と、
前記期間における各セット中の最初の動画像のフレームについては、前記静止画撮影記録の指示が入力される直前に撮像して得られたフレームデータを格納し、各セット中の前記最初の動画像のフレームを除くフレームについては、該当するセットに格納した動画像のフレームのオフセットを格納することで、動画像撮影中断による欠落フレームのオフセットを調整する調整工程と、
前記音声データ格納工程による音声データの格納処理、及び、前記調整工程による調整処理の後、前記音声付き動画像撮影記録工程による音声付き動画像撮影記録を再開する再開工程と
を備えることを特徴とする撮像装置の制御方法。
【手続補正２】
【補正対象書類名】明細書
【補正対象項目名】０００８
【補正方法】変更
【補正の内容】
【０００８】
この課題を解決するため、例えば本発明の撮像装置は以下の構成を備える。すなわち、
撮像手段で撮像した画像データを所定の記憶媒体に記録する撮像装置であって、
所定のフレームレートに従って前記撮像手段で順次撮像して得られた各画像データを動画像のフレームデータとし、各フレームデータと各フレームデータの格納アドレスを示すオフセット値とを前記記憶媒体に書き込むことで、前記記憶媒体内に動画像ファイルを生成する動画像撮影記録手段と、
該動画像撮影記録手段による動画像撮影記録中に、静止画撮影記録の指示があったか否かを判断する判断手段と、
該判断手段で静止画撮影記録の指示があったと判断した場合、前記動画像撮影記録手段による動画像撮影記録を中断し、前記撮像手段で得られた画像データを静止画像データとする静止画ファイルを前記記憶媒体に格納する静止画撮影記録手段と、
該静止画撮影記録手段で得られた前記静止画像データから擬似動画フレームデータを生成して前記動画像ファイルの一部として格納すると共に、前記静止画撮影記録手段による静止画撮影時から前記記憶媒体への前記静止画ファイルの格納する期間で撮影されなかった各欠落フレームが前記擬似動画フレームを指し示すようにするため、前記各欠落フレームのオフセット値を調整する調整手段と、
該調整手段による調整した後、前記動画像撮影記録手段による動画像撮影記録を再開する再開手段とを備える。